Podtech/llm-jp-corpus-v4-ja_patent huggingface dataset:
(57)【要約】【課題】  手を汚さずに片手でコマセを充填することのできる釣り用コマセカゴを提供する。【解決手段】  コマセカゴの本体中心部に握り柄を設け、コマセカゴの開口部にコマセ挿入口を設けた逆円錐状のフタを装着したことを特徴とする釣り用コマセカゴ。【選択図】      図１
2006115816.tif 000002
【特許請求の範囲】
【請求項１】
コマセカゴの本体中心部に握り柄を設け、コマセカゴの開口部にコマセ挿入口を設けた逆円錐状のフタを装着したことを特徴とする釣り用コマセカゴ。
【発明の詳細な説明】
【技術分野】
【０００１】  本発明は、手を汚さずに片手でコマセを充填することのできる釣り用コマセカゴに関する発明である。
【背景技術】
【０００２】  従来のコマセカゴは樹脂製のカゴにテグスを結びつけていたものだったがコマセを充填するために、素手での作業、あるいは専用のスコップを必要としていた。
【発明の開示】
【発明が解決しようとする課題】
【０００３】  そのために次のような問題点があった。
（イ）  素手でコマセを詰めると手が汚れる。
（ロ）  スコップでの作業は両手を使うため、手返しも悪く、竿を地面に置くため竿が傷ついていた。
（ハ）  着水時にコマセが飛びだしてしまい魚の遊泳層までコマセがとどかなかった。
（ニ）  仕掛けを取り込むときにカゴを持てば残ったコマセや海水が手につき汚れる、ハリスを持てば針が手にささる危険性があった。
本発明は、これらの問題点を解決するためになされたものである。
【課題を解決するための手段】
【０００４】  コマセカゴの中心部に握り柄を設け、コマセカゴの開口部にコマセ挿入口を設けた逆円錐状のフタを装着する。握り柄はコマセの充填、仕掛けを取り込むときに用いる。コマセ挿入口を設けた逆円錐状のフタは着水時にコマセが飛びだすのを防ぐ。以上を特徴とする釣り用コマセカゴである。
【発明の効果】
【０００５】  片手で手を汚さずにコマセを充填することができ、仕掛けの取り込みも握り柄を目印にするので簡単になる。コマセ挿入口を設けた逆円錐状のフタが着水時のコマセの飛びだしを防ぐので、魚の遊泳層までコマセがとどき無駄なコマセがなくなる。これらのことによりコマセの臭いが気になる方、女性や子供でも安心してサビキ釣りを楽しむことができ、手返しも早くなるので一度寄せた回遊魚を散らさないので釣果もあがる。
【発明を実施するための最良の形態】
【０００６】  以下、本発明の実施の形態について説明する。
（イ）  上部を開口し、有底の略円筒状からなる樹脂製のコマセカゴ本体（１）の底面の中心部（５）に握り柄（３）を直立して設ける。
（ロ）  コマセカゴ本体の開口部（６）の周縁に逆円錐状のフタ（４）を設け、フタ（４）の中央はコマセ挿入口とする。
（ハ）  コマセカゴ本体の底部（８）に鉛製のオモリ（２）を設ける。
本発明は以上の構成で、これを使用するときは、上記のコマセカゴの握り柄（３）を持ち海水で溶かしたコマセ（１０）の中にコマセカゴ本体（１）を沈める。するとコマセの表面とコマセカゴの内部に落差が生じコマセ挿入口（７）からコマセカゴの中にコマセが充填される。
コマセが充填されれば海に投入、コマセは逆円錐状のフタ（４）に遮られつつコマセ挿入口（７）から少しずつ放出される。
魚が釣れるかコマセがなくなれば仕掛けを取り込む、このとき握り柄（３）を目印にすれば簡単に取り込める。
【図面の簡単な説明】
【０００７】
【図１】    本発明の斜視図
【図２】    本発明の断面図
【図３】    本発明の使用状態を示す斜視図
【図４】    本発明の使用状態を示す断面図
【符号の説明】
【０００８】  １    コマセカゴ本体
２    オモリ
３    握り柄
４    逆円錐状のフタ
５    カゴ中心部
６    コマセカゴ開口部
７    コマセ挿入口
８    コマセカゴ底部
９    バケツ
１０  海水で溶かしたコマセ
【図１】
2006115816.tif 000003
【図２】
2006115816.tif 000004
【図３】
2006115816.tif 000005
【図４】
2006115816.tif 000006
(57)【要約】【課題】    従来の釣り用網は網部分が柄部分の直線状にあり、網の折りたたみが不可になっている。直立のままで背に担ぐため、海水やすくい上げた魚などで濡れた状態の網が、身体や髪の毛に付着し、衛生面でも問題があった。また、網が頭部辺りに来るため、身体からはみ出る部分が多く、周囲のものに引っ掛けるなどして、危険性もあった。【解決手段】    既製の釣り用網の網側に取り付け可能な部材と、柄側に取り付け可能な部材を両端に設け、その両部材に屈折可能な部材を有することで網部分を柄側に折りたたむ動作を可能にする。それにより、上記課題を解決すると共に、柄側の取り付け部材内部にバネを設け、その力で外側の筒状のカバーを瞬時に持ち上げる構成により、常時片手で使用するという利点は従来通りに活かされる構造になっている。【選択図】図３
2006115819.tif 000002
【特許請求の範囲】
【請求項１】
既製の釣り用網の網側に取り付け可能な部材と、柄側に取り付け可能な部材を両端に設けた棒状のジョイントと、その外側の、内部のバネの収縮を目的とするスライド可能な筒状のカバーからなる釣り用網のジョイント
【請求項２】
網側の取り付け部材と柄側の取り付け部材を繋ぐ、前後に可動するシャフトを設けると共に、網側の取り付け部材と柄側の取り付け部材に、それぞれ、シャフトを３６０°に可動させるための溝を設けたこと
外側の筒状のカバーを左へ回すことにより、バネを収縮した状態にロックを掛けることが出来るよう、柄側の取り付け部材に溝を設けたこと
ロックを解除した際に、外側の筒状のカバーが瞬時に持ち上がるよう、柄側の取り付け部材の内部にバネを設けたこと
を特徴とした、請求項１記載の釣り用網のジョイント
【発明の詳細な説明】
【技術分野】
【０００１】  本発明は、既製の釣り用網に取り付けることにより、網側が柄側に折りたたみ可能になる、釣り用網を携帯する際にコンパクトに収納するための釣り用網の部品に関する。
【発明の開示】
【発明が解決しようとする課題】
【０００２】  現在の釣り用網は、網部分と柄部分が取り外し可能であるが、網は柄部分の直線状にあり、折りたたみが不可となっている。【０００３】  多くの釣り人は上記のような直立状態のままの網を背中に担ぎ、釣り場を移動するが、直立のままでは海水やすくいあげた魚などで濡れた状態のまま背に担ぐため、身体や髪の毛にそれらが付着し、衛生面でも問題がある。【０００３】  また、網は幅が広く、身体からはみ出た部分で周囲のものに引っ掛けるなどの危険性もある。【０００４】  本発明は、上記２点の問題を解決しようとするものであり、不衛生な網を身体に触れにくくし、更に周囲のものに引っ掛けるなどの危険性を軽減することを目的とするものである。
【課題を解決するための手段】
【０００５】  上記目的を達成するために本発明は、既製の釣り用網とその柄の間に取り付けることにより、網を柄側に折りたためるよう、網側の取り付け部材と柄側の取り付け部材をつなぐ、前後に可動するシャフトを設けると共に、網側、柄側、両取り付け部材にシャフトを３６０°に可動させるための溝を設けたものである。【０００６】  また、従来の釣り用網は直立状態のままで使用するため、常に片手での使用が可能であったので、本発明を折りたたんだ状態から直立に戻す際も片手で使用できるよう、柄側の取り付け部材の内部にバネを設け、そのバネの力で外側の筒状カバーを持ち上げることにより、折りたたんだ状態から直立に戻す際も片手で動作できるようにした。
【発明の効果】
【０００７】  上述したように、本発明は既製の釣り用網に取り付けることにより、網の部分を柄側に折りたたむことが可能になり、それによって不衛生な網が身体に触れにくくなると共に、網の部分が腰辺りに来るため、身体からはみ出る部分が少なくなり、周囲のものに引っ掛けるなどの危険性を軽減できる。【０００８】  更に、従来の釣り用網の利点である、常に片手で使用できる点は、折りたたんだ状態から直立に戻す際にも従来品通りの効果を得ることができる。
【発明の実施するための最良の形態】
【０００９】  以下、本発明の実施の形態を、図面を参照しながら述べる。
【００１０】  市販の釣用ネットの取付けネジを▲１▼の網側取付ナットに締め付ける。柄側ナットに▲２▼の柄側取付ネジを締め付ける。
【００１１】  収納の際は、▲３▼のスライドカバーを柄側にスライドし、▲４▼のスプリングを圧縮し、▲３▼のスライドカバーを左に回し、図２の様にロックする。
【００１２】  使用する時は▲３▼のスライドカバーを右に回す事により、ロックが解除され▲４▼のスプリングが▲３▼のスライドカバーを瞬時に押し上げ使用可能となる。
【００１３】  これにより、釣り場のポイント移動の際、ネット部が柄側に折れる為コンパクトになり、網部が身体に触れにくく周囲のものに引っ掛けるなどの危険性を軽減することが出来る。
【図面の簡単な説明】
【００１４】
【図１】持ち上がった状態
【図２】折りたたんだ状態
【図３】ジョイント部シャフト及び網側取付ナット、柄側取付ネジの溝部の詳細
【符号の説明】
【００１５】▲１▼網側取付ナット
▲２▼柄側取付ネジ
▲３▼スライドカバー
▲４▼スライドカバー押上げスプリング
▲５▼スライドカバーロック溝
▲６▼網側取付ナット溝
▲７▼連結シャフト
▲８▼柄側取付ネジ溝
【図１】
2006115819.tif 000003
【図２】
2006115819.tif 000004
【図３】
2006115819.tif 000005
【手続補正書】
【提出日】平成17年2月24日(2005.2.24)
【手続補正１】
【補正対象書類名】手続補正書
【補正対象項目名】補正をする者
【補正方法】追加
【補正の内容】
補正をする者の欄の印を押し忘れた事に対する印の追加。
(57)【要約】      （修正有）【課題】寒冷地の冬季及び建物内での植物の栽培システムを構築し大規模な栽培を可能にする。【解決手段】発光ダイオードの発明、空気と液肥を同時に可能にする灌水方法（酸素農法）の発見、更に面状発熱体の発明により、その３者を総合的に制御しながら使用することにより、寒冷地の冬季及び建物内での植物の栽培が大規模に可能にする。【選択図】    図１
2006115820.tif 000002
【特許請求の範囲】
【請求項１】
寒冷地及び建物内での植物栽培において、光と水・空気・液肥と温度をトータル的に供給する。
【請求項２】
発光ダイオードＬＥＤは、赤色・青色・橙色の３色を群配置し、植物の種類及び生育状況に応じて、必要な波長の光を照射できるようコントローラーを設置する。
【請求項３】
植物の根圏にパイプを配置し、気泡と水と液肥を供給する
〔非特許文献１〕「シィシィエス株式会社カタログ」
【請求項４】
植物の根圏にパイプを配置し、オゾンを供給し殺菌のように期す。
〔非特許文献１〕「シィシィエス株式会社カタログ」
【請求項５】
加温装置として、土壌及び土壌に代わる媒体の下に面状発熱体を設置し、植物の種類、生育状況に応じ、温度制御できるように、制御盤を取り付ける。
【請求項６】
パイプ内及び根圏の殺菌のために、パイプ内にオゾンを送るためのオゾン発生器を接続する。
〔非特許文献１〕「シィシィエス株式会社カタログ」
【発明の詳細な説明】
【技術分野】
【０００１】本発明は、寒冷地及び建物内での植物の栽培を可能にしたシステムであり、その装置である。
【背景技術】
【０００２】発光ダイオードの発明、面状発熱体の発明、酸素農法の発見等単一の発明及び発見であったが、これらを総合的に考察する。
【背景技術】
【０００３】発光ダイオードの利用、酸素農法の活用などは、なされてきているが、寒冷地又は建物内での、加温の考慮が不足していました。
【発明の開示】
【課題を解決しようする課題】
【０００４】発光ダイオード・酸素農法・加温装置をシステムとして取り入れることにより、寒冷地及び建物内での植物の栽培が、大規模な範囲で可能であり、更に生育時間が速く、冬季の寒冷地ならびに建物内での（都市型農業）も可能となる。
【課題を解決するための手段】
【０００５】本発明は、上記の目的を達成するため、下記の３項目をシステムとする。
【０００６】日照時間の少ない時期又は日照時間が期待できない場合に、発光ダイオードによる植物に有用なる光を補完するため、植物により生育波長の違いに対処するため赤色・青色・橙色・の３色をコントローラーにより色及び光量をコントロールする。
【０００７】根圏の環境を整えるため根圏にパイプによる空気と水と液肥を送り込み、殺菌のために、オゾンを送り込む。
【非特許文献１】「シィシィエスエス株式会社カタログ」
【０００８】冬季及び低温時は、面状発熱体を用いコントローラーにより温度調整をしながら加温する。
【発明の効果】
【０００９】この３点を総合し、活用することで、いままで不可能であった、冬季の寒冷地ならびに建物内での（都市型農業）植物の栽培も可能となり、更に、大規模栽培には、有利な条件となり、これからの農業に変革を与えることになります。
【発明の実施するための最良の形態】
【００１０】以下、本発明の形態を図１〜図６に基づいて説明する。
【図面の簡単な説明】
【００１１】
【図１】システム概要
【図２】システム平面  ＬＥＤ群
【図３】システム平面  灌水パイプ
【図４】システム平面  面状発熱体
【図５】システム断面図ハウス内直播
【図６】システム断面図ハウス内
【符号の説明】
【００１２】１    ＬＥＤ群
２    灌水パイプ
３    面状発熱体
４    ＬＥＤコントローラー
５    電圧等コントローラー
６    空気・水・液肥コントローラー
７    制御盤
８    電源
９    水源
１０  オゾン発生装置
【図１】
2006115820.tif 000003
【図２】
2006115820.tif 000004
【図３】
2006115820.tif 000005
【図４】
2006115820.tif 000006
【図５】
2006115820.tif 000007
【図６】
2006115820.tif 000008
(57)【要約】【課題】  携帯電話の機能制限について【解決手段】  携帯電話の端末個々をネットワーク経由にて機能制限させる【選択図】  なし【特許請求の範囲】
【請求項１】
現在、携帯電話を使用するに当たって、そのマナーやセキュリティーが重視されるようになってきたが、これら携帯電話の機能制限をネットワーク経由で行うものである。
【発明の詳細な説明】
【技術分野】
【０００１】
本発明はネットワーク経由で携帯電話の機能を制限するものである。
従来、意図的に基地局から携帯電話への電波を遮断して、通話機能を制限していた。  他には基地局単位による端末制御などが考えられていたが、これでは基地局内の端末全てに影響を及ぼしてしまい、ターゲットとなるべき端末のみへの制御が出来なかった。更にはカメラ機能の制限などは不可能であった。
【０００２】
これを、個々の携帯電話端末からのWebアクセスやメール受信、又は非接触ICチップやブルートゥースでの短距離無線通信等と言ったネットワークを経由して端末に制限をかけるものが本発明である。
携帯電話端末にて、これらネットワーク経由で端末の機能制限を行う為の仕組みを導入する事により、これらを実現させる。
【０００３】
実際の使用法として、まずメールを利用する場合は、機能制限を管理するメールを携帯電話端末で受信する事により、機能の制限/解除を行う。  もちろん、このメールは信頼されたアドレスから送信されているものである旨の制限を盛り込む。
他にはWeb経由で指定されたアドレスへ携帯電話からアクセスする事により、そのアドレスで指定された禁止事項が設定内で行われる。
【０００４】
更に本発明を携帯電話内蔵の非接触ICチップやブルートゥースと連携させて使用する事により、コンサート会場に入る際に携帯電話の非接触ICチップの機能を使用すれば、その入場と連動させて通話機能、カメラ機能を制限させる事が出来る。  解除に関しては退場時に再び非接触ICチップやブルートゥースとの連動による解除、若しくは指定時間までその制限を続けた後に自動的に制限を解除といった事が出来る。
これらのように端末と直接ネットワーク等を通じて端末機能を制限させる事により、マナーやセキュリティーに対する効果が得られるものである。
【０００５】
これらの端末機能制限は基本的に機能制限設定時にその制限解除方法も指定しておく。  その解除方法の種別としては解除キーを入力するまで、又は指定時刻になるまで、若しくは指定時間が経過するまで、解除メールを受信するまで、指定されたWebアドレスアクセスによる解除実施を行うまで、ICチップ経由で制限解除を指示されるまでといったものが考えられる。
そして、機能制限を行った後は基本的には、指定された解除方法が実行されるまでは携帯電話内の制御部分が指定された機能を制限し続ける。(特例としては信頼された機関からのネットワーク経由、又は端末への直接制御によって万が一の際には制限を解除させる事も出来る事とした方がユーザビリティも向上すると思われる)
(57)【要約】【課題】歯科治療に当り、ワークテーブルの上に種々の薬液や治療器具を置いて治療を行うが、使用中、これら薬液がワークテーブル上に飛散したり、治療器具がワークテーブルに触れたりして、ワークテーブルが汚れ、不衛生である。【解決手段】図１（Ａ）は、ワークテーブルの一例を示す概略斜視図、図１（Ｂ）は、カバー部材の一例を示す斜視図で、該カバー部材１０は、厚さの薄い合成樹脂或いは紙で形成され、下部の内面形状が図１（Ａ）に示したワークテーブル２（又は４）の上部表面形状と合致しており、ワークテーブル２（又は４）の上方から被せた時に、該ワークテーブルにすっぽり嵌るように形成されている。このカバー部材１０を歯科用ワークテーブル２（又は４）に交換可能に取り付けることにより、カバー部材を交換するだけでワークテーブルのメンテナンスができるため、衛生的である。【選択図】図１
2006115989.tif 000002
【特許請求の範囲】
【請求項１】
歯科用ワークテーブルのカバー部材であって、該カバー部材は、厚さの薄い合成樹脂又は紙から成り、下部内面形状が歯科用ワークテーブルの上部外面形状に合致し、該ワークテーブル上に着脱自在にすっぽり装着されるものであることを特徴とする歯科用ワークテーブルのカバー部材。
【請求項２】
前記合成樹脂は透明体であることを特徴とする請求項１に記載の歯科用ワークテーブルのカバー部材。
【発明の詳細な説明】
【技術分野】
【０００１】
本発明は、歯科用ワークテーブルのカバー部材、より詳細には、歯科治療において使用されるドクター用ワークテーブル、アシスタント用ワークテーブル等に着脱自在に装着して使用される、例えば、患者ごとに交換して使用されるワークテーブル用カバー部材に関する。
【背景技術】
【０００２】
図２は、本発明が適用されるドクター用ワークテーブル、及び、アシスタント用ワークテーブルを備えた歯科治療ユニットの一例を説明するための要部概略構成図で、該歯科治療ユニットは、歯科用治療椅子１、ドクター用ワークテーブル２、ドクター用インスツルメントホルダー３、アシスタント用ワークテーブル４、アシスタント用インスツルメントホルダー５等からなり、インスツルメントホルダー３には、歯科治療においてドクターが使用する種々のインスツルメントが収納されており、周知のように、歯科治療に当り、患者は椅子１に座り、頭を安頭台に固定して治療を受ける。治療中、術者は治療椅子１を上下動、倒起動、傾斜動等させて、患者を治療しやすい姿勢にして治療を行う。
【発明の開示】
【発明が解決しようとする課題】
【０００３】
上述のごとき歯科治療ユニットを使用して歯科治療を行うに当り、ドクター及びアシスタントは、それぞれのワークテーブル２、４の上に種々の薬液や治療器具を置いて治療を行う。これら薬液や治療器具は、通常、トレーに載せられ、トレーごとワークテーブル上に置かれて使用されるが、使用中、これら薬液がワークテーブル上に飛散したり、治療器具がワークテーブルに触れたりして、ワークテーブルが汚れ、不衛生である。そのため、ワークテーブル上を時々清掃して、具体的には、患者が変るごとにワークテーブル上を消毒等して衛生的な状態にして治療を行うようにしているが、その清掃作業が大変であった。
【０００４】
本発明は、上述のごとき実情に鑑みてなされたもので、ワークテーブルに着脱自在に装着されるカバー部材を用い、該カバー部材を順次新しいカバー部材に交換使用するようにして、ワークテーブルのメンテナンスを容易にしたものである。
【課題を解決するための手段】
【０００５】
請求項１の発明は、歯科用ワークテーブルのカバー部材であって、該カバー部材は、厚さの薄い合成樹脂又は紙から成り、下部内面形状が歯科用ワークテーブルの上部外面形状に合致し、該ワークテーブル上に着脱自在にすっぽり装着されるものであることを特徴とする。
【０００６】
請求項２の発明は、請求項１に記載の歯科用ワークテーブルのカバー部材において、前記合成樹脂が透明体であることを特徴とする。
【発明の効果】
【０００７】
歯科用ワークテーブルにカバー部材を交換可能に取り付けることにより、カバー部材を交換するだけでワークテーブルのメンテナンスができるため、衛生的であり、ワークテーブルの表面を消毒する必要もなくなる。カバー部材を患者ごとに交換すれば、患者はより清潔な状態で治療を受けることができる。カバー部材により、ワークテーブルの表面が汚れにくくなる。更には、カバー部材に色を付けるなどして、ファッション性を上げることができる。
【発明を実施するための最良の形態】
【０００８】
図１は、本発明による歯科用ワークテーブルのカバー部材の一例を説明するための概略斜視図で、図１（Ａ）は、本発明によるカバー部材が適用されるワークテーブルの一例を示す概略斜視図で、図２に示したドクター用ワークテーブル２或いはアシスタント用ワークテーブル４に相当するものである。図１（Ｂ）は、本発明によるカバー部材の一例を示す斜視図で、該カバー部材１０は、厚さの薄い合成樹脂或いは紙で形成され、下部の内面形状が図１（Ａ）に示したワークテーブル２又は４の上部表面形状と合致しており、ワークテーブル２（又は４）の上方から被せた時に、該ワークテーブルにすっぽり嵌るように形成されている。なお、ドクター用ワークテーブルの場合、ワークテーブルの前面に、例えば、治療椅子１を上下動、起倒、傾動等させるための液晶操作パネルが設けられているので、このような操作にパネルを有するワークテーブルに適用するカバー部材の場合は、カバー部材１０を透明体で形成し、該カバー部材の上から操作するようにすればよい。
【図面の簡単な説明】
【０００９】
【図１】本発明による歯科用ワークテーブルのカバー部材の一例を説明するための図である。
【図２】本発明が適用されるワークテーブルを具備した歯科用治療ユニットの一例を説明するための要部構成図である。
【符号の説明】
【００１０】
１…歯科用治療椅子、２…ドクター用ワークテーブル、３…ドクター用インスツルメントホルダー、４…アシスタント用ワークテーブル、５…アシスタント用インスツルメントホルダー、１０…テーブルカバー部材。
【図１】
2006115989.tif 000003
【図２】
2006115989.tif 000004
(57)【要約】【課題】  洗面化粧台等において、一時的に物を収納する物置棚が確保できると共に、水はねをスムーズに洗面ボール等の水溜め部内に還すことのできる水はねガードの提供。【解決手段】  洗面化粧台１等のカウンター３横に設置されて、洗面ボール３１等の水溜め部側からの水はねや吐水を還す水はねガード２であって、略垂直の水還し面２１の上部に、カウンター３側へ向けて物置棚を兼ねた水平片２２を突設させて成り、一時的に物を収納する物置棚が確保できると共に、水はねをスムーズに洗面ボール３１内に還すことのできるものである。【選択図】図１
2006115922.tif 000002
【特許請求の範囲】
【請求項１】
洗面化粧台等のカウンター横に設置されて、洗面ボール等の水溜め部側からの水はねや吐水を還す水はねガードであって、
略垂直の水還し面の上部に、カウンター側へ向けて物置棚を兼ねた水平片を突設させて成ることを特徴とする水はねガード。
【請求項２】
前記水平片の下方に、先端部が前記水溜め部上方に位置する横向きの水還し片を一体に設けてなる請求項１記載の水はねガード。
【発明の詳細な説明】
【技術分野】
【０００１】
本発明は、洗面化粧台等に具備され、シャワーヘッド等の吐水口から吐出した水の水はねを洗面ボールに還すための水はねガードに関するものである。
【背景技術】
【０００２】
従来から、洗面化粧台等に具備され、洗面ボール等の水溜め部側からの水はねやシャワーヘッド等の吐水吐水口から吐出した水の水はねを防止するための水はねガードは、実公平７−４８１４２号公報に記載されているものがある。このものは、図３に示すように、洗面ボール１３１を有する洗面化粧台１０１において、洗面ボール１３１の幅方向の少なくとも一端に水はね防止用のプレート１０２を配置し、プレート１０２を洗面ボール１３１の端縁から立ち上がる姿勢及び洗面ボール１３１の上に被さる姿勢に起倒可能とし、プレート１０２が倒れた姿勢のとき、洗面ボール１３１の上面の載りほぼ水平に設定可能としてなるものである。
【０００３】
ところで、最近、生活様式の多様化に伴い、洗面化粧台における水はね防止するための機能を有し、更に、収納量も多い洗面化粧台の要望が高まっている。
【０００４】
しかしながら、上記のような水はねガードでは、プレート１０２を設置するボール部のため一時的に物を収納する物置棚が少なくなる場合がある。
【特許文献１】実公平７−４８１４２号公報
【発明の開示】
【発明が解決しようとする課題】
【０００５】
本願発明は、上記背景技術に鑑みて発明されたものであり、その課題は、洗面化粧台等において、一時的に物を収納する物置棚が確保できると共に、水はねをスムーズに洗面ボール等の水溜め部内に還すことのできる水はねガードを提供することである。
【課題を解決するための手段】
【０００６】
上記課題を解決するために、本願発明は、洗面化粧台等のカウンター横に設置されて、洗面ボール等の水溜め部側からの水はねや吐水を還す水はねガードであって、略垂直の水還し面の上部に、カウンター側へ向けて物置棚を兼ねた水平片を突設させて成るものである。
【０００７】
また、前記水平片の下方に、先端部が前記水溜め部上方に位置する横向きの水還し片を一体に設けてなるものが好ましい。
【発明の効果】
【０００８】
本願発明の水はねガードによれば、物置棚としての棚を設けているので洗面化粧台の収納スペースを増やすことができる。
【０００９】
また、サイドキャビネット等が置けない間口でも収納量を増やすことができる。
【発明を実施するための最良の形態】
【００１０】
本願の一実施形態の水はねガード２を図１及び図２に基づいて説明する。図１（ａ）は本願の一実施形態に係る水はねガード２を具備した洗面化粧台の概略側面図、（ｂ）は同上の正面図ある。なお、この場合の水はねガード２は、洗面化粧台に具備され、水溜め部を洗面ボール３１としている。この水はねガード２は、洗面化粧台１等のカウンター３横に設置されて、洗面ボール３１等の水溜め部側からの水はねや吐水を還す水はねガード２であって、略垂直の水還し面２１の上部に、カウンター３側へ向けて物置棚を兼ねた水平片２２を突設させて成るものである。
【００１１】
また、水平片２２の下方に、先端部が洗面ボール３１上方に位置する横向きの水還し片２３を一体に設けてなるものである。
【００１２】
洗面化粧台１は、例えば、キャビネット４とその上面に設置固定されたカウンター３と、このカウンター３より低い位置の上面略全域にわたる大きさの洗面ボール３１とが一体に形成されている。洗面ボール３１の後側内壁面の中程には、シャワーヘッド３２が設けられている。また、キャビネット４の前面には、一対のキャビネットの開き戸４２が開閉自在に付設され、その内部は、収納スペースが形成されている。
【００１３】
水はねガード２は、略Ｌ字状の形状を有し、長手側の水直面を水還し面２１とし、その下方にキャビネット４に取り付けるための取り付け部２１ａを有している。また、短手側の水平面は、カウンター３側へ向けて物置棚を兼ねた水平片２２として突設させている。
【００１４】
取り付け部２１ａは、ボルト６とナット５のより、キャビネット４の側板４１に設けた取付け孔（図示せず）を介して取り付け、固定される。また、水還し面２１と側板４１との間には、この隙間を埋めるスペーサー７が設けられている。
【００１５】
水平片２２は、仮置き収納スペースである物置棚になっている。
【００１６】
水還し片２３は、水平片２２の下方から洗面ボールの上面であるボール面３１ａと接触する箇所の伸び、洗面ボール３１側からの水はねやシャワーヘッド３２からの吐水を洗面ボール３１に還すようにしたものである。
【００１７】
このように構成された、水はねガード２は、水平片２２が物置棚になっており、使用者がシャワーヘッド３２を使用した場合、水はねガード２の内面にかかった洗面ボール３１側からの水はねやシャワーヘッド３２からの吐水は水還し片２３を介してボール面３１ａに流れるようになっている。
【００１８】
従って、収納スペースを増やせて、水はねガードを設けることができる。
【００１９】
なお、図２に示すように、水平片２２の裏面にタオル掛け８、フック９などを設けると更に収納スペースが増える。
【００２０】
なお、水溜め部は、台所等で使用するシンクのようなものでも良い。
【００２１】
なお、水還し面２１と水還し片２３とを金属又は合成樹脂の押出し品で形成しても良い。
【図面の簡単な説明】
【００２２】
【図１】（ａ）は本願発明の一実施形態に係る水はねガードを設けた洗面化粧台の概略正面図、（ｂ）は同上の側面図である。
【図２】別の水はねガードを設けた洗面化粧台の概略側面図である。
【図３】実公平７−４８１４２号公報に記載の従来例の斜視図である。
【符号の説明】
【００２３】
１      洗面化粧台
２      水はねガード
２１    水還し面
２２    水平片
２３    水還し片
３      カウンター
３１    洗面ボール
【図１】
2006115922.tif 000003
【図２】
2006115922.tif 000004
【図３】
2006115922.tif 000005
(57)【要約】【課題】本発明はルアーフィッシング用ノイジーに関し、安価で丈夫に製造する事ができしかもいままでにない動きをして魚を引き付けるルアーフィッシング用ノイジーを提供することを目的とする。【解決手段】プレス加工により成型された金属性のノイジー本体は、ノイジー本体上面側が凹となるように成型された曲面からなり、ノイジー本体前方両脇に左右一枚ずつ下面側が凹となるように湾曲した羽部分を同一成型した事を特徴とする。【選択図】図１
2006115705.tif 000002
【特許請求の範囲】
【請求項１】
プレス加工により成型された金属性のノイジー本体は、ノイジー本体上面側が凹となるよう成型された曲面からなり、ノイジー本体前方両脇に左右一枚ずつ下面側が凹となるよう湾曲した羽部分を同一成型した事を特徴とするルアーフィッシング用ノイジー。
【発明の詳細な説明】
【技術分野】
【０００１】
本発明は、ルアーフィッシング用ルアーに係り、詳しくは水面でウォブリングやローリングなどをしながら魚を誘うルアーフィッシング用ノイジーに関するものである。
【背景技術】
【０００２】
従来のノイジータイプのルアーはルアーの本体を中空にするなど浮力を持つように作られている。そしてノイジーのアクションを出すための羽やリップをビスで止めるなどしてルアー本体に取り付けてある。またプラスチック製のもので本体と羽又はリップを一体成型して作られているものもあるが、やはり本体を中空にして水に浮かぶように作られている。                （例えば、非特許文献１参照。）
【非特許文献１】発行所  株式会社フィッシュマン  編集、発行人  萱間  修  １９９７年９月３０日第１刷発行  トップウォーターゲームの真実Ｐ２６
【発明の開示】
【発明が解決しようとする課題】
【０００３】
これには次のような欠点があった
（イ）ノイジーのアクションを出すための羽やリップをビス止めするなどしてルアー本体に取り付けているものは製作工程が多く比較的コストが高くついていた。
（ロ）プラスチック製の物はルアー本体を中空にする為や強度をえるために複雑な型が必要であるため比較的コストが高くついていた。
（ハ）プラスチック製のノイジーを岩などにぶつけると、リップなどを破損してしまうことがあった。
（二）従来のノイジーはエアーブラシにより塗装されたものが多く、塗装に手間と時間がかかっていた。
本発明は、以上の欠点を解決するためになされたものである。
【課題を解決するための手段】
【０００４】
プレス加工により成型された金属製のノイジー本体はノイジーの上面側が凹となるよう成型された曲面からなり、ノイジー本体前方両脇に左右一枚ずつ下面側が凹となるよう湾曲した羽部分を同一成型している、そしてノイジー本体の前端部に道糸取り付け孔を設けノイジー本体の後端部には、釣り針取り付け孔を設けスプリットリングを介して釣り針を取り付けると共にノイジー本体の中央付近には釣り針取り付け孔とビス穴を設け、釣り針を、釣り針取り付け用金具を使用し上面側からビスで取り付けてある。
本発明は、以上の構成よりなるルアーフィッシング用ノイジーである。
【発明の効果】
【０００５】
本発明を実施すると次のような効果を奏する。
（イ）金属のプレス加工で本体と羽部分を一体成型することにより、従来のノイジータイプのルアーに比べ製作工程が減る為、安いコストで製造することができる。
（ロ）ノイジー本体の全てが金属性なのでフラッシング効果はもちろんノイジー本体と釣り針がぶつかる金属音で魚に対してアピールする。
（ハ）従来のノイジーと異なり中空部分を持たないので、いままでにない独特な波紋を作り出すことができる。その為スレた魚に対しても確実な疑似餌効果が得られる。
（二）金属のプレス加工で本体と羽部分を一体成型することにより、羽又はリップ部分を本体にビスなどで取り付けてあるものより丈夫である。
（ホ）従来のノイジーと異なりノイジー本体に中空部分を持たない為、道糸の引きを止めノイジーを沈めて魚を誘うことが可能である。また沈めた後再び水面まで浮上さながら魚を誘うこともできる。
（ヘ）本体をトップウォータールアーのフラップやバズベイトのペラとして使用する事も可能である。
（ト）金属性なので一度に大量の表面処理が可能である。また表面処理だけでエアーブラシによる塗装の必要がないため製作の手間と時間を節約できる。
【発明を実施するための最良の形態】
【０００６】
（イ）プレス加工により成型された金属製のノイジー本体はノイジー本体の長さ方向及び幅方向とも上面側が凹となるよう湾曲して成型されると共にノイジー本体前方両脇に左右一枚ずつ下面側が凹となるよう湾曲した羽部分を同一成型する。
（ロ）ノイジー本体の前端側に道糸取り付け孔を設け、道糸取り付け環を取り付ける。
（ハ）ノイジー本体後端側に釣り針取り付け孔を設け、釣り針取り付け環を介し釣り針をとりつける。
（二）ノイジー本体中央部には釣り針取り付け孔とビス穴を設け、釣り針を、取り付け用金具を使用しビスでノイジー本体に上面側から取り付ける。
本発明は、以上の構成によりなっている。
本発明を使用するときは、道糸取り付け孔に取り付けられた取り付け環に道糸を接続した後、ノイジーの重みを利用し所定のポイントにキャスティングしてノイジーを道糸で引っ張ると羽部分に水の抵抗受けて左右にウォブリングしながら水面を泳ぐこととなる。従来のノイジーと異なり中空部分を持たない為道糸の引きを止めてノイジーを沈めて魚を誘うことができる。沈めた後再びリーリングを開始すると水中を、ゆらゆら不規則に揺れ魚を誘いながら水面まで浮上する。この時ノイジー本体上面側が凹となるよう湾曲している為すばやく浮き上がる事ができノイジー本体後端部と中央部に取り付けている釣り針がバランサーの役目をしているためノイジーの回転を防止している。この為安定したウォブリングが可能となっている。
【図面の簡単な説明】
【０００７】
【図１】本発明の斜視図である。
【図２】本発明の側面図である。
【符号の説明】
【０００８】
１道糸
２、１０スプリットリング
３道糸取り付け孔
４、５羽部分
６，７ビス
８釣り針取り付け用金具
９ノイジー本体
１１釣り針取り付け孔
１２，１３釣り針
１４釣り針取り付け孔
１５，１６ビス穴
【図１】
2006115705.tif 000003
【図２】
2006115705.tif 000004
(57)【要約】  【課題】ぬかの代りに粉炭を用いることによって、ぬか味噌臭くない漬物用床を提供すること。  【解決手段】粉炭２に栄養源となるブドウ糖、乳酸菌、および酵母菌の少なくともいずれかひとつを添加し、前記粉炭にこれらの有用微生物を繁殖させてぬかの代りに炭を基材とした漬物用床１を作る。このようにして作った炭を用いた漬物用床１に、大根３、きゅうり、なす等の野菜等の物品を素材として漬け込み、漬物をつくる。従来のようにぬかを用いた漬物用床の場合には、漬け込んだ物品が薄黄色を呈するようになるが、本発明のように、ぬかに代えて粉炭を用いると、炭に含有されるＫ，Ｃａ成分による中和作用および白炭を使った場合の炭表面の官能基による化学的吸着作用により、乳酸の発生を抑えるせいか、薄黄色に染まることが少ない。【選択図】      図１
2006115757.tif 000002
【特許請求の範囲】
【請求項１】
粉炭を混入してなる漬物用床。
【請求項２】
ぬかもしくはおからに炭を混入してなる漬物用床。
【請求項３】
有用微生物として、乳酸菌もしくは酵母菌の少なくとも何れか一方を含んでなることを特徴とする請求項１または２の何れか１項に記載の漬物用床。
【請求項４】
漬物素材を、粉炭を混入してなる漬物用床に漬け込んだ後に取り出すことを特徴とする漬物の製造方法。
【発明の詳細な説明】
【技術分野】
【０００１】
本発明は、野菜等の漬物を漬けるための床に関するものである。
【背景技術】
【０００２】
従来より、野菜等の漬物を漬けるための床としては、古来よりぬか床が知られている。ぬか床を用いると、ぬかの味がひとつの風味を醸しだして、風味ある漬物を得ることができる。
【発明の開示】
【発明が解決しようとする課題】
【０００３】
しかし、上述したような従来のぬか床は、人によっては、そのぬか味噌臭さを嫌う人もあり、また、一般家庭においては、ぬか床を用いた漬物容器の近辺に発散する臭いを嫌う人もある。
以上のような理由によって、ぬか味噌臭くない漬物用床が望ましいが、現実的には、ぬかを用いなければ漬物はできないという固定観念があった。
そのために、一般家庭での漬物つくりが普及しないという現状である。
【０００４】
そこで、本発明は、ぬかの代りに粉炭を用いることによって、ぬか味噌臭くない漬物用床を提供することを目的としてなされたものである。
【課題を解決するための手段】
【０００５】
本発明にかかる請求項１の漬物用床は、粉炭を混入してなることを特徴としている。
請求項２では、ぬかもしくはおからに、炭を混入してなることを特徴としている。
請求項３では、有用微生物として、乳酸菌もしくは酵母菌の少なくとも何れか一方を含んでいることを特徴としている。
請求項４の漬物製造方法は、漬物素材を、粉炭を混入してなる漬物用床に漬け込んだ後に取り出すことを特徴としている。
【発明の効果】
【０００６】
本発明の漬物用床によれば、粉炭を混入しているので、この粉炭が有用微生物の繁殖の基材となり、野菜等の素材を漬けると、素材の色が鮮やかで優れた保存性と、優れた味覚の漬物が得られる。
また、本発明の漬物製造方法によれば、漬物素材を、粉炭を混入してなる漬物用床に漬け込んだ後に取り出すので、上記効果を奏する漬物を得ることができる。
【発明を実施するための最良の形態】
【０００７】
以下に、本発明にかかる漬物用床および漬物製造方法を、その実施の形態を示した図１に基づいて詳細に説明する。
本発明においては、粉炭２に栄養源となるブドウ糖、乳酸菌、および酵母菌の少なくともいずれかひとつを添加し、前記粉炭にこれらの有用微生物を繁殖させてぬかの代りに炭を基材とした漬物用床１を作る。
【０００８】
このようにして作った炭を用いた漬物用床１に、大根３、きゅうり、なす等の野菜等の物品を素材として漬け込み、漬物をつくる。
【０００９】
従来のようにぬかを用いた漬物用床の場合には、漬け込んだ物品が薄黄色を呈するようになるが、この原因は、乳酸によるものっと考えられる。しかし、本発明のように、ぬかに代えて粉炭を用いると、炭に含有されるＫ，Ｃａ成分による中和作用および白炭を使った場合の炭表面の官能基による化学的吸着作用により、乳酸の発生を抑えるせいか、薄黄色に染まることが少ない。
例えば、大根３を漬けると真っ白い状態のままの漬物ができ、なすの紫色や、きゅうりの緑色等が何れも鮮やかであり新鮮である。
【００１０】
なお、野菜の脱水作用により、床の表面に水が滲出することがあるが、この滲出した水は無色透明な綺麗な水であるので、取り除けば良い。
また、粉炭として粉末白炭を使用すれば、水のクラスターを小さくして浸透性を高くする働きも得られる。
そして、炭の持つ脱臭効果により、漬物容器の近辺での臭いの発散を抑制できる。
なお、基材には、粉炭だけでもよく、ぬかやおからを混入させなくてもよいが、ぬかやおからを用いた従来の漬物用の漬物床に粉炭を混入させて、ぬかやおからと粉炭とを混在させた床でもよい。
さらには、粉炭に代えて、炭の塊や炭を粉砕したものを、ぬか床に混入してもよい。
【実施例１】
【００１１】
本発明の実施例１では、粉炭として粉末白炭を８リットル、酵母菌として生ビールを２リットル、および水道水を沸騰させてカルキ分を抜いて冷ました水を少々加えて水分調整をし、さらに、整腸剤として市販されている４種類の乳酸菌を計65グラム、無添加の良質な味噌を50グラム、ブドウ糖を100グラム、そしてオリゴ糖を100グラム混入して、よく攪拌して漬物用床を作る。
このようにして作った漬物用床を複数の容器に分配する。
【００１２】
分配したひとつの容器には、塩度約20％の梅干しを漬けて２カ月後に開封した。その結果、保存性は良好で、塩味は強いが美味しい梅干し漬けが得られた。
【００１３】
分配した別の容器には、梅干しを生ビールに漬けて塩出しした梅干しを漬けて、２カ月後に開封した。その結果、保存性は良好で、塩味の辛味はなく、梅の素味が素晴らしい梅干し漬けが得られた。
【００１４】
なお、以上の梅干し漬けを床から取り出すときに梅の皮が破れることもあり、また、粉炭が付着することを防止するために、梅干し等の物品は、通水性の高い袋に入れてまとめ漬けする方が好ましい。
【００１５】
以上のように、本発明による漬物用床に大根、なす、きゅうり、にんにく、ごぼう等を漬けて２カ月後に取り出すと、優れた保存性が得られると共に、大根の白色、なすの紫色、きゅうりの緑色等の素材の色が鮮やかに得られ、にんにくやごぼうも新鮮であり、漬ける前と殆ど変わりの無い外観が得られる。ごぼうは、塩味があるがささがきにしても良い状態であって美味である。
また、粉末白炭を用いたので、比重が1.8であって、付着した炭も簡単に水で洗い流すことができる。粉末白炭によって発生した酸を吸着するという効果も得られる。
【００１６】
分配したさらに別の容器には、蒸留精製した木酢液の希釈液を添加し、牛肉や豚肉を布で巻いて漬け込んだ。その結果、生肉の状態でありながらスモーク風味が付き、焼き肉にすると美味であった。
【図面の簡単な説明】
【００１７】
【図１】本発明にかかる漬物用床の使用状態の説明図である。
【符号の説明】
【００１８】
１  漬物用床
２  粉炭
３  大根、素材
【図１】
2006115757.tif 000003
(57)【要約】【課題】  フライ後長時間経過してもクリスピー感およびドライ感を保持することができる、フライ後の経時耐性に優れたパン粉、および該パン粉を用いたフライ食品を提供すること。【解決手段】  原料中の小麦粉１００質量部に対して５〜５０質量部のソルガム粉を含有させたパン粉、および該パン粉を用いて製造されたフライ食品。【選択図】  なし【特許請求の範囲】
【請求項１】
原料中の小麦粉１００質量部に対して５〜５０質量部のソルガム粉を含有することを特徴とするパン粉。
【請求項２】
請求項１記載のパン粉を用いて製造されたフライ食品。
【発明の詳細な説明】
【技術分野】
【０００１】
本発明は、フライ後の経時耐性を有するパン粉、および該パン粉を用いたフライ食品に関する。
【背景技術】
【０００２】
通常、パン粉は、小麦粉を原料としてイースト発酵させて調製した生地を焼成して得たパンを粉砕、乾燥して製造される。このようなパン粉を用いてフライしたパン粉付フライ食品は、フライ後に時間が経過するとともに、素材の水分が衣のパン粉に移行して、クリスピー感やドライ感（べちゃつきの少ない感覚）が失われてしまう問題がある。
フライ後の経時耐性を有するパン粉の従来技術としては、主原料の小麦粉１００重量部に対して３０〜２５０重量部のコーンフラワーを混合したパン粉（特許文献１）などが知られているが、効果は不十分であった。
【特許文献１】特開平４−５３４５９号公報
【発明の開示】
【発明が解決しようとする課題】
【０００３】
本発明の目的は、フライ後長時間経過してもクリスピー感およびドライ感を保持することができる、フライ後の経時耐性に優れたパン粉、および該パン粉を用いたフライ食品を提供することにある。
【課題を解決するための手段】
【０００４】
本発明者らは、種々検討した結果、パン粉原料にソルガム粉を混合することにより、上記目的を達成し得ることを見出し、本発明に到達した。
即ち、本発明は、原料中の小麦粉１００質量部に対して５〜５０質量部のソルガム粉を含有することを特徴とするパン粉を提供するものである。
また、本発明は、上記パン粉を用いて製造されたフライ食品を提供するものである。
【発明の効果】
【０００５】
本発明のパン粉によれば、フライ後長時間経過してもクリスピー感およびドライ感を保持するフライ食品を製造することができる。
【発明を実施するための最良の形態】
【０００６】
以下、本発明のパン粉および該パン粉を用いたフライ食品を、その好ましい実施態様について詳述する。
本発明で用いられるソルガム粉は、もろこしきび、高粱（カオリャン）、マイロとも呼ばれるイネ科の一年草であるソルガムの種を製粉したものである。ソルガム粉は、特に限定されず、市販品を用いることができる。
上記ソルガム粉は、パン粉原料中の小麦粉１００質量部に対して、５〜５０質量部、好ましくは１５〜３０質量部配合する。ソルガム粉の配合量が過少であると、フライ後の経時耐性が得られず、またドライ感が得られない。また過多であると、フライの衣が硬くなったり、粉ぽっくなり、食味・食感が悪くなる。
【０００７】
本発明で用いられる小麦粉は、特に制限されるものではなく、パン粉原料として通常用いられている小麦粉を用いることができる。
また、本発明のパン粉には、イーストの他、パン粉の製造に通常用いられているショートニングなどの油脂類、食塩、糖類などの副原料を必要に応じて適宜配合することができる。
本発明のパン粉は、パン粉の主原料である小麦粉に、ソルガム粉を上記の割合で配合する以外は、従来のパン粉の製法と同様にして製造することができる。
【０００８】
本発明のフライ食品は、上記の本発明のパン粉を用いて製造されたものであり、パン粉として本発明のパン粉を用いる以外は、従来のフライ食品の製法と同様にして製造されたものである。
また、本発明のフライ食品の素材としては、特に制限されるものではなく、本発明のパン粉は、畜肉類、魚介類、野菜類など、フライ食品に通常使用される素材に適用することができる。
【実施例】
【０００９】
次に本発明をさらに具体的に説明するために実施例および比較例を挙げるが、本発明は以下の実施例に限定されるものではない。
【００１０】
実施例１〜４および比較例１〜２
・パン粉の調製
小麦粉とソルガム粉を表１に示す割合で配合した主原料１００質量部に対して、イースト２．０質量部、ショートニング２．０質量部、食塩２．０質量部、水６７質量部を配合し、ストレート法でパン生地を仕込み、焼成して得られたパンを、冷蔵庫で一晩保管後、粉砕機を用いて１５メッシュスルーのパン粉をそれぞれ得た。
【００１１】
【表１】
2006115713.tif 000002
【００１２】
・パン粉付けフライ食品の製造
バッター付けした豚肩ロース肉に、上記で得られたパン粉を付着させた後、１７５℃の大豆白絞油で７分３０秒間フライし、フライ食品をそれぞれ得た。
【００１３】
・フライ食品の評価
得られたフライ食品を室温にて１０分間放置後、真空冷却機にて２０℃まで急速冷却し、それを容器に入れて密閉し、温度２０℃、相対湿度７０％の恒温槽にて１２時間保管した。この１２時間保管後のフライ食品およびフライ直後のフライ食品について、クリスピー感およびドライ感を官能評価した。評価方法は、熟練した５名のパネラーに下記評価基準に従って採点させ、その平均値を各フライ食品の評価得点とした。これらの結果を表２に示す。
評価基準
・クリスピー感
５点：非常にクリスピーである。
４点：クリスピーである。
３点：ややクリスピーである。
２点：クリスピー感が弱い。
１点：クリスピー感がない。
・ドライ感（べちゃつきの少ない感覚）
５点：非常にドライである。
４点：ドライである。
３点：ややドライ感がある。
２点：あまりドライ感がない。
１点：ドライ感がない。
【００１４】
【表２】
2006115713.tif 000003
(57)【要約】      （修正有）【課題】固定子の永久磁石と回転子の永久磁石とを組み合わせ、永久磁石の同種磁極の反発力による動力発生方法を得る。【解決手段】固定子の永久磁石１、２、３、４と、回転子の永久磁石５、６とを同種磁極同士が対面するように組み合わせ、固定子の永久磁石１、２、３、４の対面磁極の間近にコイル７、８、９、１０を配置固定し、コイル８、１０と、コイル７、９とを交互にオン、オフして回転子の永久磁石を作動させて動力を発生させる。【選択図】図１
2006115674.tif 000002
【特許請求の範囲】
【請求項１】
固定永久磁石と可動永久磁石の同種磁極が対面するように組み合わせ、固定永久磁石の対面磁極の間近にコイルを配置し、コイルの電気回路のＯＮ、ＯＦＦをコントロールして可動永久磁石を作動させて動力を発生させることを特徴とする、永久磁石の同種磁極の反発力による動力発生方法。
【請求項２】
固定子▲１▼▲２▼▲３▼▲４▼の永久磁石と回転子▲５▼▲６▼の永久磁石とを同種磁極同士が対面するように組み合わせ、固定子▲１▼▲２▼▲３▼▲４▼の永久磁石の対面磁極の間近にコイル▲７▼▲８▼▲９▼▲１０▼を配置した第一図の回転式動力発生装置を第二図の電気配線回路で作動させ動力を発生する、本動力発生方法を実施する装置。
【発明の詳細な説明】
【発明の詳細な説明】
【産業上の利用分野】
【０００１】永久磁石の同種磁極の反発力による動力発生方法とその装置に係るものである。
【背景技術】
【０００２】従来、本発明の如き動力発生方法と装置はなかった。
【発明が解決しようとする課題】
【０００３】固定子の永久磁石と回転子の永久磁石及びコイルを組み合わせて動力を得ようとするものである。
【課題を解決するための手段】
【０００４】固定子の永久磁石と回転子の永久磁石の同種磁極同士が対面するように組み合わせ、固定子の永久磁石の対面磁極の間近にコイルを配置固定し、コイルの電気回路のＯＮ、ＯＦＦをコントロールして回転子の永久磁石を回転させて動力を発生させる。
【作用】
【０００５】装置の作用を第一図、第二図を参照して説明すると、始動スイッチ▲１９▼をＯＮにして、タイミングスイッチ▲１７▼がＯＮとなっている場合、コイル▲８▼▲１０▼は、固定子の永久磁石▲２▼▲４▼の対面Ｎ磁極方向にＮ磁極、永久磁石のない空間方向に、回転子▲５▼▲６▼の回転を可能にするＳ磁極の磁場を発生する。同時に、タイミングスイッチ▲１６▼はＯＦＦでコイル▲７▼▲９▼は磁場を発生していないので、固定子の永久磁石▲１▼▲３▼の対面磁極（コイル▲７▼▲９▼の鉄しん▲１１▼▲１３▼を介してＮ磁極になっている）はＮ磁極、回転子の永久磁石▲５▼▲６▼の対面磁極もＮ磁極であるから、双方の同種磁極間には互いに排斥しようとする強い反発力が生じる。この反発力によって回転子▲５▼▲６▼の永久磁石は回転することになる。即ち、反発力で回転子の永久磁石を一回作動で１／４回転させることになる。回転子の回転に連動して、タイミングスイッチのＯＮ、ＯＦＦ交互切り替えによって、上記同様の作動が繰り返され、回転子の永久磁石を連続回転させて動力を発生する。尚、回転子の回転に連れて、コイルの電流を大きくしてＳ磁極を強くすれば、吸引力と反発力の相乗効果で、回転子の回転回数の増加ともに回転力が一段と強力になる。
【実施例】
【０００６】  第一図、第二図参照、回転式動力発生装置。（本実施例では、固定子の永久磁石の対面磁極はＮ磁極、回転子の永久磁石の対面磁極Ｎ磁極の同種磁極の組み合わせである）。固定子▲１▼▲２▼▲３▼▲４▼の永久磁石と回転子▲５▼▲６▼の永久磁石とを同種磁極同士が対面するように組み合わせ、固定子▲１▼▲２▼▲３▼▲４▼の永久磁石の対面磁極の間近にコイル▲７▼▲８▼▲９▼▲１０▼を配置固定した構造の動力発生装置を第二図の電気配線回路で作動させ動力を発生させる。回転子の回転数を制御する一例は、コイルのタイミングスイッチのＯＮの入りを遅くなるように操作すれば、コイルの磁場の発生がそれに連れて遅れる結果、その遅れの分だけ回転子の回転作動が遅れ回転数が少なくなる。逆に、タイミングスイッチのＯＮを早くすると回転数は増加する。本装置の実施例の回転方向は右回転。本装置の作動を連続させるために、コイル▲７▼▲８▼▲９▼▲１０▼の電源であるバッテリー▲１８▼を充電するための発電機▲２０▼とコイル▲７▼▲８▼▲９▼▲１０▼の電気回路のＯＮ、ＯＦＦ用のタイミングスイッチ▲１６▼▲１７▼を夫々回転子軸▲１５▼の回転に連動させる機構とする。
【発明の効果】
【００７】本回転式動力発生装置の特徴は、電力やガソリンなどの燃料を一切使用しなで作動し、しかも、始動スイッチをＯＦＦするまで連続作動して動力を発生する。また、作動時の排煙や騒音が皆無のため、大気汚染、環境汚染のおそれが全くない理想的な動力の発生装置である。尚、装置を連結すれば大容量の動力を得ることが出来る。
【図面の簡単な説明】
【図１】第一図、回転式動力発生装置の概念図。
【図２】第二図、第一図の電気配線図。
【符号の説明】
▲１▼▲２▼▲３▼▲４▼固定子の永久磁石。▲５▼▲６▼回転子の永久磁石。▲７▼▲８▼▲９▼▲１０▼コイル。▲１６▼▲１７▼連動タイミングスイッチ。▲１８▼コイル電源用のバッテリー。▲２０▼バッテリー充電用の発電機。▲１５▼回転子軸。▲１９▼装置の始動スイッチ。▲１１▼▲１２▼▲１３▼▲１４▼コイルの鉄しん。▲Ａ▼▲Ｂ▼反磁性体。
【図１】
2006115674.tif 000003
【図２】
2006115674.tif 000004